(57)【要約】  ハンドルを伴う手持ち式器具であって、一連の重なり合うリングの要素を含む上面を有するつかみ部分を含む。
2016507329.tif 000002
【特許請求の範囲】
【請求項１】
手持ち式器具であって、
ａ）ヘッドユニット（１００）と、
ｂ）前記ヘッドユニットに接続するためのドッキング部材（３００）と、前記ドッキング部材から遠位方向に離れて配置されたつかみ部分（４００）と、を含む、ハンドル（２００）と、を含み、前記つかみ部分は、
ｉ）受容領域を形成する基板保持部材（４２０）と、
ｉｉ）前記受容領域内に前記基板保持部材によって着脱可能に保持された基板（５００）と、を含み、前記基板は、上面（５１０）と、前記上面の反対側の底面（５２０）と、を含み、前記上面は、一連の重なり合うリング（５９１、５９２、５９３）を含む、手持ち式器具。
【請求項２】
前記一連の重なり合うリングが、エンボス加工されたリング、デボス加工されたリング、視覚的なしるし、及びこれらの組み合わせからなる群から選択される、請求項１に記載の手持ち式器具。
【請求項３】
前記一連の重なり合うリングが、第１のリングと、前記第１のリング内に収容される第２のリングと、を含む、請求項１又は２に記載の手持ち式器具。
【請求項４】
２つを超えるリングを更に含む、請求項１〜３のいずれか一項に記載の手持ち式器具。
【請求項５】
前記第１のリング及び前記第２のリングが接触しない、請求項１〜４のいずれか一項に記載の手持ち式器具。
【請求項６】
前記第１のリングが、前記上面の中心点と同じ位置にない中心点を有する、請求項１〜５のいずれか一項に記載の手持ち式器具。
【請求項７】
前記第１のリング及び前記第２のリングがずれた中心点を有する、請求項１〜６のいずれか一項に記載の手持ち式器具。
【請求項８】
前記第１の指受容領域がひな壇式表面を有する、請求項１〜７のいずれか一項に記載の手持ち式器具。
【請求項９】
前記一連の重なり合うリングがスパイラルを含む、請求項１〜８のいずれか一項に記載の手持ち式器具。
【請求項１０】
前記一連の重なり合うリングが、複数の同心円状リングを形成する、請求項１〜９のいずれか一項に記載の手持ち式器具。
【請求項１１】
前記複数の同心円状リングの中心点が、前記基板の中心点ではない、請求項１〜１０のいずれか一項に記載の手持ち式器具。
【請求項１２】
前記一連の重なり合うリングが円形ではない、請求項１〜１１のいずれか一項に記載の手持ち式器具。
【請求項１３】
前記一連の重なり合うリングが、前記基板の外周と概して同じ形状を有する、請求項１〜１２のいずれか一項に記載の手持ち式器具。
【請求項１４】
前記基板が、前記第１の指受容領域から前記基板を貫通し、前記第２の指受容領域から外部へ延びる貫通穴を更に含む、請求項１〜１３のいずれか一項に記載の手持ち式器具。
【請求項１５】
前記一連の重なり合うリングの上に指を置く、請求項１〜１４の少なくとも一項に記載の手持ち式器具の使用。
【発明の詳細な説明】
【背景技術】
【０００１】
剃毛ハンド装置は、典型的にヘッドユニットヘッド、及び解除自在に又は永続的にヘッドユニットの一端に取り付けるハンドルを含む。手持ち式器具ハンドルは、典型的に堅い伸長した棒である。最近、多くの手持ち式器具が、電池、電子部品、及び匂い袋等も保持するように説明されており、手持ち式器具ハンドルが、大型化及び長尺化することを助長している。例えば、Ｓｃｈｉｃｋ  Ｈｙｄｒｏ  Ｓｉｌｋ  Ｐｏｗｅｒ  Ｓｅｌｅｃｔ手持ち式器具及びＧｉｌｌｅｔｔｅ  ＰｒｏＧｌｉｄｅ  Ｓｔｙｌｅｒトリマーを参照のこと。例えば、米国デザイン特許第６４４７８９号及び米国特許公開第２０１１／０２１９６２０号を参照のこと。これらの手持ち式器具は、市販されている手持ち式器具の大半のように、延長した堅いハンドルに依存する。
【０００２】
多くの剃刀ハンドルは、金属及び／又はプラスチックで作られているが、剃刀の外面へのより柔らかいつかみ材料の付加も開示されている。例えば、米国特許第７，９７５，３８９号、同第７，８７４，０７６号、同第５，４９７，５５１号を参照のこと。しかし、これらのハンドルは、つかみ材料の外面層を、別の方法で堅い金属又はプラスチックハンドルに単に追加する。つかみ材料の付加は、つかみ及び表面の感触を支援する場合があるが、ほとんどのハンドルは、堅いままであり、かつ延長した形状を有する。
【０００３】
異なる形状のハンドルを伴う手持ち式器具も、説明されてきた。例えば、延長した楕円形のハンドルを有するハンドルが、説明及び市販されてきた。例えば、米国デザイン特許第３４９２４２号、同第３６３１４２号、同第３５４７０７号、及び同第３８１７６８号を参照のこと。指を受容するための円筒形のハンドルを有する多様な手持ち式器具も、説明されてきた。例えば、米国特許出願第２０１１／００１６７３４  Ａ１号、米国特許第６，０１８，８７７号及び同第６，１１２，４２１号を参照のこと。便利かつ省スペースな手持ち式器具も、説明されてきた。可変長を有する多関節ハンドル延長部を伴う手持ち式器具を説明する、米国特許出願第２０１１／００８８２６８  Ａ１号等を参照のこと。更に、国際特許第９７／２５１８９号は、平坦な楕円形のハンドルに取り付けられた２つの手持ち式器具ヘッドを伴う手持ち式器具を説明する。更に、米国特許出願第２０１２／００４２４７８号も参照のこと。更に、容器内の小型手持ち式器具の多様な形態の保管も説明されてきた。例えば、米国特許第１，２３４，８３４号を参照のこと。
【先行技術文献】
【特許文献】
【０００４】
【特許文献１】米国デザイン特許第６４４７８９号
【特許文献２】米国特許公開第２０１１／０２１９６２０号
【特許文献３】米国特許第７，９７５，３８９号
【特許文献４】米国特許第７，８７４，０７６号
【特許文献５】米国特許第５，４９７，５５１号
【特許文献６】米国デザイン特許第３４９２４２号
【特許文献７】米国デザイン特許第３６３１４２号
【特許文献８】米国デザイン特許第３５４７０７号
【特許文献９】米国デザイン特許第３８１７６８号
【特許文献１０】米国特許出願第２０１１／００１６７３４  Ａ１号
【特許文献１１】米国特許第６，０１８，８７７号
【特許文献１２】米国特許第６，１１２，４２１号
【特許文献１３】米国特許出願第２０１１／００８８２６８  Ａ１号
【特許文献１４】国際特許第９７／２５１８９号
【特許文献１５】米国特許出願第２０１２／００４２４７８号
【特許文献１６】米国特許第１，２３４，８３４号
【発明の概要】
【発明が解決しようとする課題】
【０００５】
説明されてきたハンドルに関わらず、部品で作られたつかみ部分を有するハンドルの必要性が残っており、この部品は簡単に取り替えることができ、かつ好ましくは可撓性及び弾性であるが、ユーザーが携帯用ハンドルを有することを可能にし、この携帯用ハンドルは、人間工学的かつ使い勝手が良いが、依然として装置のヘッドユニットを制御するのに必要とされる応答性を提供する。
【課題を解決するための手段】
【０００６】
発明の一態様は、歯ブラシ又は剃刀用等のヘッドユニット、並びに前記ヘッドユニットに接続するためのドッキング部材及び前記ドッキング部材から遠位方向に離れて配置されたつかみ部分を含むハンドルを含む手持ち式器具を提供し、前記つかみ部分は、受容領域を形成する基板保持部材を含み、基板は、前記受容領域内で前記保持部材によって固定的に又は着脱可能に保持され、前記基板は、エラストマー性材料を含み、かつ前記基板の反対側に第１の指受容領域及び第２の指受容領域を形成する。
【０００７】
別の態様は、ドッキング部材及びつかみ部分を含むハンドルを提供し、前記つかみ部分は、前記ドッキング部材から遠位方向に離れて配置され、前記ドッキング部材は、前記ヘッドユニットに接続し、並びにつかみ部分は、受容領域を形成する少なくとも一部のリングを形成する基板保持部材から基本的に構成され、エラストマー性基板は、前記受容領域内に保持され、前記エラストマー性基板は、前記基板の反対側に第１の指受容領域及び第２の指受容領域を含む一体型本体である。１つの好ましい実施形態では、エラストマー性基板は、円盤又は硬貨のように形成されてもよく、かつユーザーによって取り扱われた場合等に受容領域内に挿入されてもよく、ユーザーの指は、基板の２つの大きな平面上に対向する圧力を付加するように先導される。
【０００８】
更に別の実施形態は、本明細書に説明された基板ハンドルを変更する方法を提供し、これは、本発明にしたがってハンドルを取得する工程と、現在ハンドル内に保持されている前記基板を除去する工程と、除去された基板と同じ又は異なってもよい第２の基板を取得する工程と、前記第２の基板を基板保持領域内に保持する工程と、を含む。重要なことに、本処理は、製造者、サービス提供者、又は消費者自身によって行われてもよい。このような状況では、基板の充填品を販売すること、又は消費者が装置を購入する際に多数の基板を提供することが有用であり得る。
【図面の簡単な説明】
【０００９】
【図１】発明の少なくとも１つの実施形態による装置の側面の斜視図であって、装置の多様な部分が分離して示される。
【図２ａ】本発明の少なくとも１つの実施形態による装置の多様な平面図を示す。
【図２ｂ】本発明の少なくとも１つの実施形態による装置の多様な平面図を示す。
【図２ｃ】本発明の少なくとも１つの実施形態による装置の多様な平面図を示す。
【図２ｄ】本発明の少なくとも１つの実施形態による装置の多様な平面図を示す。
【図２ｅ】本発明の少なくとも１つの実施形態による装置の多様な平面図を示す。
【図３ａ】保持部材が、前記ハンドルの形に形成された場合の装置の平面図を示す。
【図３ｂ】図３ａに示した、ハンドル内へ挿入するのに適したエラストマー性基板を示す。
【図３ｃ】図３ａに示した、ハンドル内へ挿入するのに適したエラストマー性基板を示す。
【図４】本発明のエラストマー性基板に使用され得る多様な形状の２次元の図を示す。
【図５ａ】本発明による２つの追加の装置の頂部平面図である。
【図５ｂ】本発明による２つの追加の装置の頂部平面図である。
【図６】つかみ部分が、基板を保持するための部分的なリングを単に形成する保持部材を形成する場合のハンドルを示す。
【図７ａ】本発明による２つのその他の装置の側面図である。
【図７ｂ】本発明による２つのその他の装置の側面図である。
【図８ａ】発明による別の実施形態を示す。
【図８ｂ】発明による別の実施形態を示す。
【図９ａ】発明による更に別の実施形態の側面図を示す。
【図９ｂ】発明による更に別の実施形態の側面図を示す。
【図１０ａ】収納可能なケース内の本発明による剃刀の２つの斜視図を示す。
【図１０ｂ】収納可能なケース内の本発明による剃刀の２つの斜視図を示す。
【図１１ａ】基板が、一連の重なり合うリングを含む場合の、本発明の別の実施形態の高架斜視図及び正面図を示す。
【図１１ｂ】基板が、一連の重なり合うリングを含む場合の、本発明の別の実施形態の高架斜視図及び正面図を示す。
【図１２】本発明のその他の実施形態の側面図を示す。
【図１３ａ】本発明のその他の実施形態の２つの側面図である。
【図１３ｂ】本発明のその他の実施形態の２つの側面図である。
【発明を実施するための形態】
【００１０】
本発明は、毛髪除去装置、剃毛剃刀、又は歯ブラシ、描画若しくは化粧器具、より好ましくは剃毛剃刀等の手持ち式器具に関連し、この手持ち式器具は、ヘッドユニット及びハンドルを含む。ハンドルは、永続的に又は着脱可能にヘッドユニットに接続するためのドッキング部材、及びつかみ部分を含み、前記つかみ部分及び前記ドッキング部材は、互いに遠位方向に離れて配置され、前記ドッキング部材は、永続的に又は着脱自在に前記ヘッドユニットベースに接続され、かつ前記つかみ部分は、固定的に又は解除自在に少なくとも１つの基板をつかみ部分に保持する。
【００１１】
つかみ部分は、基板受容領域を形成する基板保持部材を形成し、この基板保持領域は、基板の保持に適した、囲われた開口部又は開口受容領域であってもよい。好ましくは、基板は、エラストマー性基板であるが、基板が、堅いコアを有し、かつ片面又は両面に積層したエラストマー性材料を有するように設計されてもよい。一実施形態では、保持部材は、少なくとも１つの開口部を形成する部分的な又は全体の外周リングである。固定的に又は解除自在に前記基板受領領域内に保持されるのは、基板である。一実施形態では、基板は、エラストマー性コーティング等のエラストマー性材料を含み、別の実施形態では、基板は、基本的にエラストマーで構成され、かつ前記エラストマー性材料で作られた一体型本体を形成する。
【００１２】
基板は、第１の指受容領域を形成する第１の（上部）表面及び第２の指受容領域を形成する第２の（底部）表面を含み、第１の表面は、第２の表面よりも基板の反対側にある。使用中、第１の指受容領域は、第２の指受容領域が人差し指及び中指の１つ又は両方によって接触されている間に、母指によって接触されてもよい。又は、母指が第２の指受容領域等の上にある場合、逆もまた同様である。
【００１３】
基板は、固定的に又は着脱可能に前記基板保持部材に取り付けられる。これは、操作される主要なつかみ部分の部品であるハンドルの部分を作ることによって製造時に追加された可撓性を許容するため特に有用であり、そうすることで基板は、製造者がより硬い又はより軟質なハンドルを所望する場合、変更することができる。この基板の部品特性は、例えば、基板の材料を変更すること又は表面処理を追加することによって、残りのハンドルを変更することなく、消費者の好みに基づいた修正を更に許容し、残りのつかみ部分は、同じもの（保持部材等）を保持することができるが、ハンドルは、非常に異なって見えてもよいし、動作してもよい。利用に基づいて、消費者自身で基板を変更できるようにすることは、有用であってもよい。例えば、ユーザーが、石鹸質環境の湿潤で装置を使用する傾向にある場合、彼又は彼女は、改善されたつかみを有する基板を欲する場合がある。しかし、ユーザーがより滑らかな見た目及び仕上がりを好む場合、彼らは、外観が金属製の又はクロムめっきの基板を取得し得る。
【００１４】
基板がエラストマー性基板の場合、特に望ましいユーザーの感触及び反応を提供することができる。理論に束縛されるものではないが、このように使用される手持ち式器具は、エラストマー性材料を伴う、順応性がありかつ敏感な方法において、ハンドルがユーザーによって付加された力に反応することを可能にし、対向する指による付加された力に対する動的耐性を提供すると信じられている。実際には、エラストマー性基板は、移動性及び可撓性の膜であり、ユーザーが装置に力を付加することを可能にするが、依然多少の弾力性及び可撓性を有する。
【００１５】
エラストマー性基板で構成されるハンドルの本体部分を有することの重要な利点の１つは、堅いハンドルの表面上のエラストマーコーティングの単なる層とは対照的に、エラストマー性材料は、より柔らかい感触を提供し、ハンドルの全体の厚さを感じる感覚を許容する。第１及び第２の指受容領域を形成するエラストマー性基板を有することに関連するいくつかの性能改善は、ユーザーが、エラストマーの柔らかく、しなやかな特性を使用している間に快適さを保持しつつハンドルの改善された制御を有することである。更に、エラストマー性基板は、しなやかなため、ユーザーは、エラストマー性基板上の異なる領域又は角度に力を付加することができるが、ヘッドユニットがどのくらい主要部に接触しているかに基づいて自然に外形を形成する。更に、エラストマー性基板は、任意の表面処理によって改善されたつかみを提供することができ、表面処理は、エラストマー性材料の上に適応されてもよい。
【００１６】
１．ヘッドユニット
ヘッドユニットは、歯ブラシ、ペン又は鉛筆等の描画又は化粧器具、又は毛髪除去用等の幅広い掻き取り面であってもよい。毛髪除去装置の非限定的な例には、脱毛剤と共に若しくは皮膚剥脱用に使用される毛髪除去装置、又は安全剃刀等の刃ユニットを伴う剃刀が挙げられる。毛髪除去ヘッドが剃刀カートリッジである場合、剃刀は電動又は手動の、使い捨て又は再充填可能なシステムであってもよい。剃刀カートリッジは、複数の刃を更に含んでもよい。例えば、米国特許第７，１６８，１７３号は、Ｇｉｌｌｅｔｔｅ  Ｃｏｍｐａｎｙから市販される、多数の刃を備える剃刀カートリッジを含む、Ｆｕｓｉｏｎ（登録商標）剃刀を一般的に説明する。更に、剃刀カートリッジはガード及び剃毛補助具を含んでもよい。本発明にしたがって、様々な剃刀カートリッジが使用可能である。フィン、ガード、及び／又は剃毛補助剤を備える、並びにこれらを備えない好適な剃刀カートリッジの非限定的な例としては、Ｆｕｓｉｏｎ（登録商標）、Ｖｅｎｕｓ（登録商標）の製品ラインでＧｉｌｌｅｔｔｅ  Ｃｏｍｐａｎｙによって販売されるもの、及び米国特許第７，１９７，８２５号、同第６，４４９，８４９号、同第６，４４２，８３９号、同第６，３０１，７８５号、同第６，２９８，５５８号、同第６，１６１，２８８号、及び米国特許公開第２００８／０６０２０１号に開示されるものが挙げられる。更に、ヘッドユニットは、剛毛がヘッドユニットから離れて延在する場合、図６ｂに示すようなブラシ又は歯ブラシであってもよい。
【００１７】
「前方」及び「後方」という用語は、本明細書で使用するとき、刃ユニット（すなわち、剃刀カートリッジ）の機構間の相対位置を画定する。少なくとも１枚の刃の「前方」の機構は、例えば、装置で処理される表面が少なくとも１枚の刃と遭遇する前にその機構に遭遇するように配置される。例えば、装置が、その意図された切断方向にストロークされる場合、ガードは（複数の）刃の前方にある。（複数の）刃の「後方」にある機構は、装置で処置される表面が（複数の）刃に遭遇した後で、その機構に遭遇するように位置決めされ、例えば、装置が、その意図された切断方向にストロークされる場合、キャップは（複数の）刃の後方に配置される。
【００１８】
一実施形態では、ヘッドユニットは、１つ以上の刃、及び前記１つ以上の刃の前方に配置されたガードを含む剃刀カートリッジであって、ガードは、少なくとも１つの長細い可撓性突出部を有し、ユーザーの皮膚を係合する。一実施形態では、少なくとも１つの可撓性突出部は、前記１つ以上の細長い縁部に対して概ね平行の可撓性フィンを備える。別の実施形態では、前記少なくとも１つの可撓性突出部は、前記１つ以上の細長い縁部に対して概ね平行ではない少なくとも１つの部分を備える、可撓性フィンを備える。好適なガードの非限定的な例としては、現在の剃刀の刃に使用されるものが挙げられ、米国特許第７，６０７，２３０号及び同第７，０２４，７７６号（エラストマー性／可撓性フィンバーを開示）、同第２００８／００３４５９０号（湾曲したガードフィンを開示）、同第２００９／００４９６９５（Ａ１）号（上面と下面との間に延在する少なくとも１つの通路を形成するガードを有するエラストマー性ガードを開示）に開示されるものが挙げられる。
【００１９】
一実施形態では、ヘッドユニットは、従来の剃毛剤又は潤滑ストリップ等の少なくとも１つの皮膚係合部材を含む。皮膚係合部材は、（複数の）刃のいずれかの前方及び／又は後方に配置されてもよい。本明細書での使用に適した既知の皮膚コンディショニング組成物の非限定的な例には、米国特許第７，５８１，３１８号、同第７，０６９，６５８号、同第６，９４４，９５２号、同第６，５９４，９０４号、同第６，３０２，７８５号、同第６，１８２，３６５号、同第Ｄ４２４，７４５号、同第６，１８５，８２２号、同第６，２９８，５５８号、及び同第５，１１３，５８５号、並びに第２００９／０２２３０５７号に記載された剃毛剤及び潤滑ストリップが挙げられる。
【００２０】
ヘッドユニットは、固定的に又は着脱可能にハンドルに取り付けられる。装着は、ヘッドユニットからハンドルのドッキング部材への直付けであってもよく、又はヘッドユニットは、相互接続部材に取り付けてもよく、その後ハンドルのドッキング部材に接続される。
【００２１】
２．ハンドル
ａ．つかみ部分
ハンドルは、ドッキング部材及びつかみ部分を含み、前記つかみ部分は、前記ドッキング部材から遠位方向に離れて配置され、前記ドッキング部材は、前記ヘッドユニットに接続する。つかみ部分は、少なくとも１つの受容領域を形成する基板保持部材を含む。一実施形態では、基板保持部材は、開口部を画定するリングを形成し、１つ以上の基板を保持するのに好適である。完全なリングを形成する必要のない保持部材は、依然として基板を保持することが可能である。更に、保持部材は、完全なリングを形成することができたが、基板の全周の周りを覆うことはできなかった（すなわち、保持部材は、基板が、半円、若しくは貫通穴又はその他の通路が画定され得る空所を形成する一方で、完璧に円形のリングを画定することができる。例えば、空所又は貫通穴を画定することで、基板保持部材、この場合ではリングが、基板の全周の周りを覆うのに失敗する、図５ａの基板５０２を参照のこと。その他の実施形態では、１つ以上の空所又は貫通穴が、エラストマー性基板の多様な領域に形成されてもよく、水の通過、又は使用中の異なる人間工学的反応及び感触を許容する。
【００２２】
基板がより堅い場合等の特定の例において、保持部材は、完全に接続されたリングを形成することなく、接着剤又は機械的な取り付け等によって基板の部分に単に取り付けることができた。
【００２３】
一実施形態において、基板保持部材の部分は、エラストマー性つかみ材料でコーティングされてもよい。これは、エラストマーの感触を得るために、ユーザーが、つかみ部分全体を所望する場合に有用であり得る。一実施形態において、つかみ部分の外面全体（ドッキング部材又はエラストマー性基板に接触していない表面）若しくは保持部材の外面は、１つ以上のエラストマーつかみ材料でコーティングされる。これらのエラストマー性つかみ材料は、当該技術分野において既知であり、エラストマー性基板で使用されたものを説明したエラストマー性材料の多くを含む。これらは、基板で使用されたものと同じでもよく、又は異なってもよい。
【００２４】
つかみ部分は、多くの異なる形状を有してもよく、保持部材が、丸い硬貨状の基板を保持する場合、平坦な円形の円盤形状が挙げられるが、これに限定されない。基板は、着脱可能に又は固定的に保持部材の中に保持されてもよい。一実施形態において、基板は、エラストマー性基板であり、保持部材若しくは外周リングに直接鋳型形成又は別の方法で鋳造されてもよい。あるいは、基板は、別々の工程で形成され、その後開口部にはめ込まれてもよい。基板を保持するための多様な形状が使用されてもよい。取り外し可能な実施形態が所望される場合、基板は、部分又は全ての保持部材沿いのさねはぎ金具、１つ以上のピン及び受容穴等で、保持部材が、基板内に形成された対応する受容穴の中に突出する１つ以上のピンを含む場合等に、開口部に圧入されてもよい。エラストマー性基板を基板保持部材上に固定的に保持する多様な方法、例えば接着剤の使用、又は熱接合が可能だが、これらに限定されない。
【００２５】
ｂ．エラストマー性基板
一実施形態において、基板は、本明細書においてエラストマー性基板と称されるエラストマー性材料を含む又はエラストマー性材料を主原料とする。本発明のエラストマー性基板は、前記基板受容領域又は開口部内で保持される。エラストマー性基板は、一般的に幅広の平坦な構造であって、円盤又は硬貨形状の形態であってもよい。エラストマー性基板は、第１の指受容領域を形成する第１の表面及び第２の指受容領域を形成する第２の表面を含む。
【００２６】
一実施形態において、エラストマー性基板は、取り外し可能又は取り替え可能である。取り替え可能なエラストマー性基板で、消費者は、必要に応じて異なる表面処理又は色から選択することができる。例えば、ユーザーが、より低い摩擦でより滑らかな仕上がりを所望する場合、平滑仕上げのエラストマー性基板を選択することができる。同様に、湿潤した環境で使用する際等に、ユーザーが、より多くの摩擦、及びより簡単なつかみを伴うものを所望する場合、より多くのエンボス加工を伴うエラストマー性つかみ又は摩擦を増加するための表面処理を選択することができる。更に、エラストマー性基板の硬さは変化し得るので、ユーザーは、所望する硬度及び感触を選ぶことができる。更に、ユーザーは、基板が汚れた場合、又は別の方法で使用により傷んだ場合、基板を取り替えることができる。
【００２７】
一実施形態において、基板が定位置にスライドし、かつ分離及び取り外しに少量の力しか必要としない場合等、基板は、保持部材から簡単に取り外し可能である。他の実施形態において、エラストマー性基板は、基板に固定的に取り付けられ、そうすることで、消費者によって容易に取り外されることがないが、圧力嵌め又はさねはぎ金具等で除去されてもよい。他の実施形態では、基板は、熱接合又は接着剤等によって前記保持部材に永続的に取り付けられる。
【００２８】
一実施形態では、エラストマー性基板は、一体型本体である。一体型本体とは、本明細書で記載されるとおり、エラストマー性の基板は、自己支持構造であり、これは、エラストマー性つかみ材料が堅いハンドル上に積層している場合、その他のハンドル等の支持梁又は内部構造を含まないことを意味する。一体型本体は、１つの単一材料から作られる必要はなく、かつ多数の層を有してもよいが、エラストマー性材料の全体で作られているべきであり、そうすることで、１つの表面に十分な力が適用された場合、一体型本体は、反対側で完全に変形及び屈曲することができる。実際には、エラストマー性の基板に取り付ける保持部材の任意の部分は別として、ハンドルは、追加の堅い材料の必要性がほぼない。基板のエラストマーの特性は、ハンドルの変形を可能にし、更にユーザーが、使用中の望ましい人間工学的な感触を伴うヘッドユニットを制御することを可能にする。
【００２９】
一実施形態では、エラストマー性基板は、複数のエラストマー性材料の層を含む。これは、異なる材料が異なる弾性及び硬さを有することができるため、特に有用であり得る。多数の層は、同じ材料又は異なる材料であってもよい。一実施形態において、より硬い材料は、第１及び／又は第２の指受容領域を形成する（複数の）層で使用される、より軟質な及び／又はより弾性のある材料と共に中央層で用いられる。１回以上のコーティングが、特異な表面仕上げ又は手触り又は色を提供するように、エラストマー性基板上に適用されてもよい。一実施形態では、エラストマー性基板は、単一層を含む。
【００３０】
エラストマー性基板として使用され得る好適な材料の非限定的な例として、天然及び合成ゴム、耐衝撃性ポリスチレン（ＨＩＰＳ）等のポリマー、ポリプロピレン（ＰＰ）及びアクリロニトリルブタジエンスチレン（ＡＢＳ）、エラストマー、及びこれらの混合物が挙げられる。
【００３１】
好適なエラストマー性材料は、エラストマー又はエラストマーの配合物を含む。つかみ領域１４での使用に適したエラストマーは、剃刀及び歯ブラシに関する技術において既知である。一般的に、エラストマー性材料は、１つ以上の熱可塑性エラストマー（ＴＰＥ）を含む。好適なＴＰＥとして、熱可塑性硬質ゴム（ゴムポリオレフィン配合物）、ポリエーテルアミド、ポリエステル、スチレンエチレンブチレンスチレン（ＳＥＢＳ）ブロックコポリマー、スチレンブタジエンスチレンブロックコポリマー、部分水添又は水添スチレンブタジエンスチレンブロックコポリマー、スチレンイソプレンスチレンブロックコポリマー、ポリウレタン、ポリオレフィンプラストマー、スチレン系ポリオレフィンエラストマー、これらの相溶性混合物、及び同様の熱可塑性エラストマーが挙げられる。好ましいＴＰＥとして、スチレンエチレンブチレンスチレン（ＳＥＢＳ）ブロックコポリマー、スチレンブタジエンスチレンブロックコポリマー、部分水添又は水添スチレンブタジエンスチレンブロックコポリマー、スチレンイソプレンスチレンブロックコポリマー、及び部分水添又は水添スチレンイソプレンスチレンブロックコポリマーが挙げられ、ＫＲＡＴＯＮゴムの商品名でＳｈｅｌｌから市販されている。特に好ましいのは、スチレンエチレンブチレンスチレン（ＳＥＢＳ）ブロックコポリマーであって、「Ｇ−Ｔｙｐｅ」ＫＲＡＴＯＮゴムの商品名でＳｈｅｌｌから市販されている。前述のＴＰＥは、当該技術分野において既知であるとおり、タルク等の充填剤及び油で改善されてもよく、これらは一般的にエラストマーの硬度を低減することとなる。その他の好適なエラストマーとして、弾力的なウレタン及びシリコーンが挙げられる。エラストマーは、Ａｒｋｅｍａ  Ｉｎｃ．，Ｐｈｉｌａｄｅｌｐｈｉａ，Ｐｅｎｎｓｙｌｖａｎｉａ（Ｐｅｂａｘ（登録商標）２５３３等）、Ｅ．Ｉ．ＤｕＰｏｎｔ  ｄｅ  Ｎｅｍｏｕｒｓ  ＆  Ｃｏ．，Ｗｉｌｍｉｎｇｔｏｎ，Ｄｅｌａｗａｒｅ（Ｚｙｔｅｌ（登録商標）２１５８Ｌ等）、Ｋｒａｔｏｎ  Ｐｏｌｙｍｅｒｓ  Ｕ．Ｓ．ＬＬＣ，Ｈｏｕｓｔｏｎ，Ｔｅｘａｓ、及びＫｒａｉｂｕｒｇ  ＴＰＥ  Ｃｏｒｐ．，Ｄｕｌｕｔｈ，Ｇｅｏｒｇｉａ（Ｋｒａｉｂｕｒｇ  ＨＴＣ８８５８等）から入手することができる。
【００３２】
一実施形態では、エラストマー性基板は、成形性の可圧縮熱可塑性エラストマー性材料を含む。好適な熱可塑性エラストマー性材料は、ブロックコポリマーであって、スチレン、エチレン、及びブチレンを含む。代表的な有用な熱可塑性エラストマーとして、Ｅ．Ｉ．ＤｕＰｏｎｔ  ｄｅ  Ｎｅｍｏｕｒｓ  ＆  Ｃｏ．から「ＳＯＭＥＬ」の商品名で発売されている、又はＢ．Ｆ．Ｇｏｏｄｒｉｃｈ  Ｃｏ．から「ＴＥＬＣＡＲ」の商品名で発売されている、又はＨｅｒｃｕｌｅｓ  Ｉｎｃ．から「ＰＲＯＦＡＸ」の商品名で発売されているような市販のポリオレフィン熱可塑エラストマー性ポリマーが挙げられる。Ｓｈｅｌｌ  Ｃｈｅｍｉｃａｌ  Ｃｏ．からＫＲＡＴＯＮ  Ｄの商品名で販売されているスチレンブタジエンスチレンコポリマー、又はＳｈｅｌｌ  Ｃｈｅｍｉｃａｌ  Ｃｏ．からＫＲＡＴＯＮ  Ｇの商品名で販売されているスチレンエチレン／ブチレンスチレンコポリマー等のブロックコポリマーが、特に好ましい。その他の代表的な好適な熱可塑性エラストマーとして、ポリエステル及びポリウレタン熱可塑性エラストマーが挙げられる。
【００３３】
一実施形態では、エラストマー性材料は、約１０〜約１７７Ｎ／ｃｍ（約１０００〜約１８，０００ｇｍ／ｃｍ）の圧縮性指数（ＣＩ）値を有してもよい。圧縮性指数（ＣＩ）は、後述される手順にしたがって計測されるように、０．０２５ｃｍの圧縮の距離で力／圧縮距離曲線の勾配として画定される。ＣＩ値は、多数の商用及び実験用指つかみ装置に反応する被験者に関係する膨大な消費者試験データから得られた。消費者試験データは、いくつかの共通因子が存在したかどうかを判定するために分析及び評価され、これは、与えられた指つかみ装置に対する被験者の高い評価及び許容性を確実に予測するために使用されることができた。データの解釈は、与えられた装置に対する好ましい被験者の反応は、主に柔軟性及び圧縮性の組み合わせ、並びに試験された装置によって提供された反発特性に依存すると思われることを示した。これらの特性は次に、装置を提供するために選択された圧縮性材料の組み合わせ及び構造に依存する。私達の発明にしたがって、私達は、ＣＩ値と、装置使用時の増加した快適さ及び減少した疲労感の被験者の認識との間に高い相関性が存在することを発見した。
【００３４】
一実施形態において、熱可塑性エラストマーは、極性及び疎水性である。熱可塑性エラストマーは、水による湿潤時に約２．０〜約３．５の範囲の摩擦係数、乾燥時に約３ｇ〜約１２ｇの粘着力を有し、及び／又は約３５〜約５０のショアＡ硬さを有することができる。Ｓｈｏｒｅ  Ａ  Ｄｕｒｏｍｅｔｅｒ  Ｉｎｓｔｒｏｎ  Ｍｏｄｅｌ  ９１３０−３５（Ｉｎｓｔｒｏｎ（Ｎｏｒｗｏｏｄ，Ｍａｓｓａｃｈｕｓｅｔｔｓ）から入手可能）を使用して、ＡＳＴＭ  ２２４０−００にしたがって、材料の硬度を室温及び摂氏３６度で試験する。摩擦及び粘着測定は、米国特許公開第０２１２／０１６７４０１号に記載される方法にしたがって実行されてもよい。更に熱可塑性エラストマーは、添加剤、充填剤、及び／又はゴム混合物若しくは変性剤と共に使用することができる。好適な複合構造体、添加剤及び／又は充填剤は、米国特許第３，９７２，５２８号に記載されている。例えば、添加剤は、以下の添加剤、パラフィン系ホワイト油類、無機崇高剤類、エーテルエステル可塑剤類、流化鉱油、アルケニルアミド、スチロール、ポリスチロール、ペトロラタム、ポリイソブチレン、ポリブテン、スチレン、エラストマー性スチレン、エチレン、ブチレン、最低造膜温度（ＭＦＦＴ）（例えば、摂氏１０度以下）を有する水性カルボキシル化合成ポリマー、ポリスチレンとの共凝集によって製造中に強化された低ＭＦＦＴ合成ポリマー、これらの組み合わせ、又は湿潤時に高い摩擦係数と、乾燥時に弱い粘着を有するエラストマー性基板を達成するための任意の他の好適な添加剤の１つ以上であってもよい。
【００３５】
エラストマー性材料は、スチレン性ブロックコポリマー、例えば、スチレンエチレンブチレンスチレン（ＳＥＢＳ）を含んでもよい。潜在的に好適なエラストマー性材料の追加の例は、米国特許４，９３２，８００号、同第７，１６０，５０８号、同第５，３１４，９４０号、同第５，６７０，２６３号、同第６，６１０，３８２号、及び同第６，９０４，６１５号、米国特許出願公開番号第２００２／０１１４９２０号、同第２０１１／０１４３１１２号、及び米国特許出願番号第２０１２／０１６７４０１号に開示されている。
【００３６】
使用されたエラストマー性材料のタイプによって、いくらかの剛性を基板に追加することが望ましい場合がある。一実施形態において、ハンドルは、基板受容領域を縦貫する１つ以上の支持梁を更に含む。支持梁は、基板保持部材を形成するために使用された材料のように堅くてもよい。しかし、ユーザーがより硬い感触を好む場合は、より硬いエラストマー性材料も、選択することができることを、当業者なら理解するであろう。
【００３７】
一実施形態において、１つ以上の支持梁は、保持部材の２つの領域に接続される。一実施形態において、１つ以上の支持梁は、基板受容領域の中央領域を縦貫する直径を形成する。一実施形態において、少なくとも１つの支持梁は、前記エラストマー性基板の中に完全に入れられ、そうすることで、支持梁の部分が、基板を形成するエラストマー性材料から露出しない。依って、より軟質な及びより弾性のある基板が使用されたが、依然第１及び第２の指受容領域が、エラストマー性材料の望ましい感触を保持する場合、支持梁は、構造用支持をもたらすことができる。特に、支持梁は、ハンドルの本体が主に堅く、かつ外部エラストマー又はつかみコーティングが適応された場合、既知の剃刀とは異なる。支持梁は、本発明で用いられる場合、５０重量％を超えないエラストマー基板、好ましくは約４０重量％未満、好ましくは約２５重量％未満、好ましくは１０重量％未満に調合されるべきであり、多くの場合必要とされない。
【００３８】
一実施形態において、支持梁は、前記エラストマー性基板の中に中央背骨部を形成する。中央背骨部とは、本明細書で画定されるとおり、支持梁が、ヘッドユニットが取り付けられた状態で完全に組み立てられた装置の重心を一般的に通過する又は近くを通ることを意味する。多数の（平行の又はそうではない）支持梁が、使用されてもよい。その他の実施形態において、エラストマー性基板は、いかなる支持梁も必要とせずに、その構造的一体性を保持する。エラストマー性基板は、前述したとおり、エラストマー性材料の１つ以上の層であってもよい。好ましくは、いくつかの人間が検知可能な方法でユーザーによって１つの指受容表面に適用された力は、装置が定常を保持しながら反対側の指受容表面上で感知されてもよい。
【００３９】
ｃ．その他の基板の詳細
基板は、更に抗菌剤を含んでもよい。存在するならば、抗菌剤は、イソチアゾリノンを含んでもよい。抗菌剤は、熱安定性である。抗菌剤は、少なくとも５００ｐｐｍ、好ましくは約７００〜２０００ｐｐｍの濃度で存在する。抗菌剤は、１００ｐｐｍ未満の最小阻害濃度を有する。抗菌剤は、４，５−ジクロロ−２−ｎオクチル−４−イソチアゾリン−３−オンを含む。抗菌剤は、抗真菌性及び抗菌性特性の両方を呈する。特定の抗菌剤の例としては、例えば、４，５−ジクロロ−２−ｎオクチル−４−イソチアゾリン−３−オン（ＣｎＨ１７ＣＬ２ＮＯＳ、ＣＡＳ登録番号６４３５９−８１−５）が挙げられる。イソチアゾリンは、例えば、Ｒｏｈｍ  ＆  Ｈａａｓ  Ｃｏｍｐａｎｙから市販されている。４，５−ジクロロ−２−ｎオクチル−４−イソチアゾリン−３−オンは、約５０ｐｐｍの最小発育阻止濃度、２８２．２の分子量を有し、熱安定性である。これら及びその他の抗菌剤は、米国特許第７１６０５０８号で開示されているものが知られ、それらを含む。
【００４０】
一実施形態では、基板は実質的に扁平である。更に基板は、底面が凹型の陥没を形成するような半球形であってもよく、上面が凸型を形成し、又は上面及び底面の両方が凹型の形状場合、これらは基板の中心に向かって内向きに先細りになる。更に、上面及び底面は、両方凸型形状であってもよく、そうすることで、基板が中央部分に向けてより厚くかつ周囲がより薄い場合、上面及び底面は、球状の基板を形成する。
【００４１】
一実施形態では、ハンドル又はハンドルの一部（単なるエラストマー性基板等）は、米国特許第６，８６８，６１０号に図示及び記載されているような可逆性感熱材料でコーティングされてもよく、又はこれを含んでもよい。これは特に、本明細書に記載されるような、ハンドルがエラストマー性基板を有する場合の剃刀を手に取った時に、審美性変化を見るのが好きな消費者にとって特に心地よくてもよい。
【００４２】
本発明の一実施形態は、既に取り付けられたハンドルから基板を取り替える又は変更する方法を提供する。方法は、本発明にしたがってハンドルを取得する工程と、現在ハンドル内に保持されている前記基板を除去する工程と、除去された基板と同じ又は異なってもよい第２の基板を取得する工程と、前記第２の基板を基板保持領域内で保持する工程と、を含む。重要なことに、本処理は、製造者、サービス提供者、又は消費者自身によって行われてもよい。このような状況では、基板の充填品を販売すること、又は消費者が装置を購入する際に多数の基板を提供することが有用であり得る。ハンドルは、そこに基板が保持された状態で完全に組み立てられて販売されてもよく、又は部品様式で販売されてもよく、そうすることでユーザーは、基板保持部材内に基板を保持することによってハンドルを組み立てることができる。
【００４３】
更に装置は、多様な組み合わせで市販されてもよく、すなわち、多数のヘッドユニットを備えた、多数の基板、又は多数のハンドルが装備された、１つのヘッドユニット及び１つの基板を伴う１つのハンドルが提供されてもよい。一実施形態において、１つの組み立てられた装置からなるキットは、ヘッドユニット、及び／又は交換基板を再補充する。
【００４４】
ｄ．一連の重なり合うリング
一実施形態では、第１の指受容領域の上側は、一連の重なり合うリングを含む。一連の重なり合うリングは、エンボス加工されたリング、デボス加工されたリング、視覚的なしるし、及びこれらの組み合わせからなる群から選択される。基板は、リングを形成するためにひな段式、又は概ね扁平であってもとく、かつ隆線、空所及び／又は色若しく表面処理の違いで形成されたリングを有してもよい。
【００４５】
ひな段式のリングの非限定的な例には、正のひな段（層を上昇する減少断面積を伴う積層体のようなものが、ボタンのような外観及び感触であり得るウェディングケーキの形に似たものを形成する）又は負のひな段（リングが、基板内に下降しながら減少領域を伴う空隙層によって形成され、指受容凹部を形成する場合）が挙げられる。ひな段式リングのその他の例は、薄い側面及び厚い側面を有する多くの楔状部のように見えてもよく、楔状部は、互いに寄りかかる薄い側面及び厚い側面が反対方向にあるように積み重ねられる。
【００４６】
一実施形態において、一連の重なり合うリングは、第１のリングを含み、及び第２のリングは、前記第１のリング内に含まれる。追加のリングが更に提供されてもよい。一実施形態において、前記リングは、互いに接触又は交差しない。一実施形態において、前記第１のリングは、第１の指受容領域の中心点と同じ位置にない中心点を有する。他の実施形態において、前記第１のリング及び前記第２のリングは、ずれた中心点を有する。
【００４７】
他の実施形態では、前記一連の重なり合うリングの２つ以上のリングは、複数の同心円状リングを形成し、同じ中心点を有する。他の実施形態では、それぞれの複数のリングは、同心円である。中心点は、前記複数の同心円状リングの中心点が基板の中心点ではない等の場合、基板の中心からずれていてもよい。一実施形態において、１つ以上の一連の重なり合うリングの中心点は、前記ハンドルの前記ドッキング部材から離れて位置するハンドルの遠端上に位置する。
【００４８】
他の実施形態では、前記一連の重なり合うリングの２つ以上のリングは、スパイラルを含み、又は全ての大部分は、スパイラルを形成することができる。
【００４９】
一実施形態では、２つ以上の、好ましくは全ての、前記一連の重なり合うリングの全ては、円形又は楕円形等の同じ一般的な形を有する。他の実施形態では、これらは、四角形、長方形、三角形等の非円形状を有してもよい。本発明の他の実施形態では、前記一連の重なり合うリングは、前記基板の外周と概して同じ形状を有する。
【００５０】
一連の重なり合うリングは、エラストマー性材料で構成される。これは、基板がエラストマー性材料で構成される場合に使用され得る。他の実施形態では、前記一連の重なり合うリングは、異なるエラストマー性材料等の前記基板とは異なる材料で構成される。
【００５１】
他の実施形態では、前記基板は、前記第１の指受容領域から前記基板を貫通し、前記第２の指受容領域から外部へ延びる貫通穴を更に含む。
【００５２】
３．装置寸法
現在市販されている既存の剃刀及び歯ブラシハンドルとは違い、本装置のハンドルは、比較的小さく、かつ長い棒状ではない。理論に束縛されるものではないが、より短いハンドルを有すると、装置の操作時に、より器用な操作が可能になると信じられている。実際には、重心が、重量の分散がより均一なヘッドユニットに近づけられる。改善された人間工学及び取扱い性は、ハンドルのつかみ部分の実際の形状でも援助される。好適な形状の非限定的な例は、本明細書に開示される。
【００５３】
一実施形態において、装置は、ヘッドユニット上の剃刀の刃から最も短い距離から前記ハンドルの最も遠い部分が、前記ヘッドユニットの最大幅の約２倍未満であり、好ましくは約１．５倍未満、好ましくは１．２５倍未満となるような剃刀である。カートリッジ幅に比べて比較的短いハンドルを伴う剃刀を有することは、人間工学、設計、取扱い又は保管のしやすさ等に対して、何人かのユーザーにとって好ましくてもよい。他の実施形態において、ハンドルの最大長さ（取り付けられたヘッドユニットを除く）は、ヘッドユニットの最大幅未満であり若しくはそれに等しく、又は２：１〜１：１、好ましくは１．７５：１〜１．５：１である。好適な寸法の特定の比は、図で示される。
【００５４】
４．収納可能なケース
一実施形態では、装置を保管するために容器ケースが更に提供される。容器ケースは、剃刀トレイ又はホルダーのように開けることができ、若しくは更に好ましくは、収納可能であり、そうすることで装置は、容器内に保管されることができる。一実施形態では、収納可能なケースは、少なくとも１つの開口部を含み、ケースの内面と外面との間の空気の通過を可能にする。これは、使用中に装置を乾燥する必要がある場合、特に有用であり得る。装置が歯ブラシ又は剃刀の場合、細菌又は真菌の増殖、悪臭、潤滑剤等の化学成分への悪影響等を防ぐために、装置が乾燥可能であることが望ましくてもよいことは、当業者によって理解されるであろう。このようにして、一実施形態において、収納可能なケースは、分離した領域又はケース一律に位置する１つ以上の開口部を含み、湿気及び水分が蒸発し、かつケースの内面を出ていくことを可能にする。
【００５５】
収納可能なケースは、取り付けられていてもよい又は取り外されていてもよいキャップ及びトレイを有してもよい。取り付けられている場合、キャップ及びトレイは、ヒンジでもよく又は摺動可能に取り付けられてもよい。取り外されている場合、キャップは、箱上面のようにトレイ上で閉じられてもよい。収納可能なケースの多様な形状は既知であり、かつ本明細書に記載される装置を含むために改善されてもよい。キャプ及びトレイを取り付けるその他の形態も、本発明の範囲内にある。一実施形態において、収納可能なケースは、ケースが閉じた向きにある場合、ケースが閉じたままにするのを助ける保持機構を含む。保持機構は、さねはぎ金具、磁石、係止フック、スナップフット又は圧入密閉部等であってもよい。更に収納可能なケースは、ばね付勢部材又は磁石等によってユーザーにより開けられない場合、閉鎖位置に留まるように付勢してもよい。
【００５６】
５．図面
図１は、本発明の少なくとも１つの実施形態による、分解された手持ち式器具を例示する。手持ち式器具は、部品が取り外された状態で示されるハンドル（２００）に着脱可能に取り付けられたヘッドユニット（１００）を含む。ハンドルは、解除部材（３５０）を伴うドッキング部材（３００）を含み、ヘッドユニットの解除を可能にする。同様のドッキング部材は、多様な再充填可能な剃刀ハンドルにおいて既知であり、かつ使用されている。ハンドルは、ユーザーが装置を保持することとなる場合、第１の領域となるように設計されたつかみ部分（４００）を更に含む。ユーザーが、個人の好みに基づいて装置のその他の領域を保持することも可能であることは、当業者によって当然理解されるであろう。つかみ部分（４００）は、基板保持部材（４２０）を含み、これは本明細書において外周リングとして示され、ドッキング部材に機能的に取り付けられており、そうすることでドッキング部材は、着脱可能に又は固定的にハンドルのつかみ部分に取り付けられる。保持部材は、少なくとも１つの受容領域を形成し、これは本明細書において第２の指受容領域を形成する第１の指受容領域及び第２の表面（５２０）を形成する第１の表面（５１０）を有する基板（５００）を保持する開口部として示される。第１の表面及び第２の表面は、エラストマー基板の両側にあり、一実施形態において、組み立てられた装置が下向きのヘッドユニットを有する場合、第１の表面は、ハンドルの頂部を形成し、及び第２の表面は、底部を形成する。上述したとおり、基板は、堅くてもよく、又はエラストマー性基板でもよい。多様なその他のヘッドユニットは、歯ブラシ、鏡、化粧用塗布用具等が挙げられるがこれに限定されない同じハンドルに取り付けられてもよいことは、当業者によって理解されるであろう。
【００５７】
図２ａ〜２ｅは、本発明の少なくとも１つの実施形態による、完全に組み立てられた手持ち式器具の様々な角度を示す。本明細書に示されるとおり、基板は、第２の表面（５２５）又は指配向ガイド（５１５）に示されるとおり、小隆起を含む様々な形状の表面処理を有してもよい。更に、開口部、エンボス加工、凹部、止まり穴、又は様々なその他の表面加工は、特に使用中ハンドルが、石鹸又はその他の化学物質によって濡れている又は滑りやすくなっている場合、改善された感触又は制御をユーザーに提供するものに基づいて、基板の１つ以上の表面内に形成されてもよい。図２Ａは、装置の底部の斜視図であり、一方２ｂは、頂部の斜視図である。図２ｃは、平面的底面図であり、図２ｄは、第１の表面上で形態変化を伴う装置の側面図を示す。一実施形態において、１つ以上の基板表面は、平滑であってもよく、又は積層された表面を有してもよい。図２ｅは、平面図である。
【００５８】
図３ａは、本発明の少なくとも１つの実施形態による装置の平面図を示し、基板が除去される（図３ｂ又は３ｃに示されるもの等）。図３ｚは、ハンドルの長軸に概ね平行な方法で開口部を通過する支持梁（４５０）を示す。その他の配向も、発明の範囲内である。少なくとも１つの支持梁の末端部は、保持部材（本明細書において外周リング（４２０）として示される）に取り付けられ、本実施形態では、両末端部が、前記リングに取り付けられる。ヘッドユニット幅（９２０）及びハンドルに最も近い刃からハンドルの反対側にある末端部までの距離が更に示される。ヘッドユニットが刃を含まない場合、この後者の距離は、ドッキング部材の先からハンドルの反対側にある末端部までのハンドルの最高長さとして計測されてもよい。図３ｂは、図３ａに示されるハンドルを伴う使用に適した取り外された基板を示す。開口部（５５０）は、支持梁が存在する場合に示される。この状況で部材を組み立てる場合、基板をつかみ部分に鋳型形成することが有用であり得、そうすることで基板は、支持梁の周囲に形成される。あるいは、図３ｃは、第１の層（５０２）及び第２の層（５０５）を伴う２層基板を示す。図３〜９に示される基板は、ハンドルの保持部材とは対照的に視認性のために軽く明暗がつけられる。
【００５９】
示されるとおり、ハンドルのつかみ部分は、概ね円形の形状を形成する。更につかみ部分は、円、楕円、又は半円からなる群から選択される２次元弧形状等のその他の形状を形成してもよい。
【００６０】
図４は、基板及び／又はつかみ部分に使用され得る多様な形状の二次元の図を示す。
【００６１】
図５ａ及び５ｂは、本発明による２つの追加の装置の頂部平面図である。これらの装置は、外周リングが複数の開口部及び複数の基板（５０１）を形成する場合を示し、（５０１）は、前記開口部内に保持される。基板は、同じ又は異なる材料で作られてもよく、かつ同じ又は異なる表面処理を有してもよい。基板が、直接外周リング内に注入及び鋳型によってき形成される場合、開口部は、チャネルを介して接続される。したがって基板は、所望される場合、第１の開口部内に注入され、かつ両方の開口部に流入して同じ成分でこれらを充填してもよい。
【００６２】
図６は、本発明による更に別の装置の平面図を示す。この装置は、ドッキング部材及びつかみ部分を含むハンドルを含み、前記つかみ部分は、前記ドッキング部材から遠位方向に離れて位置し、前記ドッキング部材は、前記ヘッドユニットへ接続し、及びつかみ部分は、その他の実施形態において開口部とも呼ばれる、基板保持領域を形成する少なくとも部分的なリングを形成する保持部材と、前記保持領域内に保持された基板（５００）と、を含む。基板は、第１の指受容領域を形成する第１の表面及び第２の指受容領域を形成する第２の表面を形成する一体型本体であるエラストマー性基板であってもよい。エラストマー性部材は、円盤の形状のように、円弧状であってもよい。円盤は、基板が概ね円形で、かつ使用中保持部材内に形成された受容領域内に保持され、並びに手で簡単につかむことができる限り、完璧な円柱状である必要がないことは、当業者によって理解されよう。
【００６３】
図７ａ及び７ｂは、本発明による２つのその他の装置の側面図である。図６ａは、ハンドルが、同様の曲線形状を有する基板で弯曲された場合の装置を示す。図７ｂは、弯曲した基板を伴う概ね平坦なハンドルを示す。弯曲は、上面を見下ろしている場合凹型に示されるが、同じ視点から見た場合、凹型に作られることもできることは、当業者によって理解されるであろう。図７ｂの装置のヘッドユニットは、ヘッドユニット上の基板、剛毛、又はスポンジと共に示される。
【００６４】
図８ａ及び８ｂは、発明による別の実施形態を示す。本明細書に記載される基板は、平坦な領域と周辺リングとの間に屈曲する支持体又は膜を提供する追加のエラストマー性材料を伴う（中央に示されるような）概ね平坦な領域を有してもよい。これらの屈曲する膜は、中央要素が周辺の堅い構造に接続している膜で垂設してある場合、スピーカーコーンと同様である。この場合、中央要素は、指によってつかまれるために設計された基板の部分であってもよく、この部分の周囲は、事実上エラストマー性及び可撓性が選ばれ得る屈曲する膜であってもよい。同様の屈曲する材料は、可撓性の膜が剃刀カートリッジを吊り下げて示される場合、国際特許第２０１２／１５７６２４号に示される。
【００６５】
図９ａ及び９ｂは、本発明によるその他のハンドルの側面図である。図９ａでは、エラストマー性部材が、ハンドルの中心から離れて膨らんでいるところが示される。図９ｂでは、エラストマー性部材が内向きに変形する。凹型及び凸型形態の組み合わせが、更に使用されてもよい（すなわち、両方の表面が、図６ａに示されるとおり同様の形状に変形する場合）。
【００６６】
図１０ａは、剃刀及びヒンジ蓋を収容する受容部分を有する収納可能なケース（８００）内にある本発明による剃刀の頂部斜視図を示す。図１０ｂは、剃刀を保管するケースの受容部分内に形成された開口部のセットを伴う、同じ収納可能なケースの底面図を示す。
【００６７】
図１１ａ及び１１ｂは、基材が一連の重なり合うリングを含む場合の、本発明の別の実施形態の高架斜視図及び正面図を示す。本実施形態に示されるのは、第１のリングが第２のリング内にあり、かつ第２のリングが第３のリング内にある場合、基板が、３つの重なり合うリング、第１のリング（５９１）、第２のリング（５９２）及び第３のリング（５９３）を形成する場合の実施形態である。本実施形態では、第３のリングが、基板の遠端上に、ドッキング部材から離れて示される。つかまれている時、ユーザーが第３のリング上に彼らの指を（示指又は母指等）自然に置くことは、装置を使用するための好適な方法になり得ると信じられている。
【００６８】
図１２は、基板の上側が複数の楔状部を形成して互いの上に積層される場合の、本発明のその他の実施形態の側面図を示し、第１の積層された楔状部は第１のリング（５９１）を形成し、第２の積層された楔状部は第２のリング（５９２）を形成し、及び第３の積層された楔状部は第３のリング（５９３）を形成する。第３のリングは、リングの仰角で形成された凹型の形状である指配向ガイド（５１５）を形成する。
【００６９】
図１３ａ及び１３ｂは、本発明のその他の実施形態の２つの側面図である。図１３ａは、基板の中心から最も遠いリングが、基板から離れていく、減少断面領域を有する場合、複数の重なり合うリングが、互いの上に積層された多数の層の形状である場合の実施形態を示す。図１３ｂは、リングが、指受容領域を形成するために基板内に下降しながら減少領域を伴う空隙層によって形成される場合、基板が負のひな壇を形成する場合のその他の実施形態を示す。
【００７０】
本明細書の全体を通じて与えられる全ての最大数値限定は、それよりも小さい数値限定を、そうしたより小さい数値限定があたかも本明細書に明確に記載されているものと同様にして包含するものと理解すべきである。本明細書の全体を通じて与えられる全ての最小の数値限定は、それよりも大きい全ての数値限定を、そうしたより大きい数値限定が恰も本明細書に明確に記載されているものと同様にして包含するものである。本明細書の全体を通じて与えられる全ての数値範囲は、そうしたより広い数値範囲に含まれる全てのより狭い数値範囲を、そうしたより狭い数値範囲の全てが恰も本明細書に明確に記載されているものと同様にして包含するものである。
【００７１】
特に指示がない限り、本明細書の明細、実施例、及び請求の範囲における全ての部、比、及び百分率は、重量基準であり、全ての数値限定は、当該分野により提供される通常の程度の精度で使用される。
【００７２】
本明細書に開示した寸法及び値は、記載された正確な数値に厳密に限定されるものと理解されるべきではない。むしろ、特に指示がない限り、そのような寸法のそれぞれは、記載された値及びその値の周辺の機能的に同等の範囲の両方を意味するものとする。例えば、「４０ｍｍ」として開示された寸法は、「約４０ｍｍ」を意味することを意図する。全ての測定は、特に指示がない限り、２５℃で行われる。
【００７３】
「発明を実施するための形態」において引用する全ての文献は、その関連部分において参照として本明細書に組み込まれるものであるが、いずれの文献の引用も、こうした引用が本発明の先行技術であることを容認するものとして解釈すべきではない。この文書における用語のいずれかの意味又は定義が、参照によって組み込まれる文書におけるいずれかの意味又は定義と対立する限りにおいて、本文書においてその用語に与えられた意味又は定義を優先するものとする。特に指定のない限り、前置詞の「ａ」、「ａｎ」、及び「ｔｈｅ」は「１つ以上」を意味する。
【００７４】
本発明の特定の実施形態が例示され記載されてきたが、本発明の趣旨及び範囲から逸脱することなく他の様々な変更及び修正を実施できることが、当業者には自明であろう。したがって、本発明の範囲内にあるそのようなすべての変更及び修正を添付の特許請求の範囲で扱うものとする。
【図１】
2016507329.tif 000003
【図２ａ】
2016507329.tif 000004
【図２ｂ】
2016507329.tif 000005
【図２ｃ】
2016507329.tif 000006
【図２ｄ】
2016507329.tif 000007
【図２ｅ】
2016507329.tif 000008
【図３ａ】
2016507329.tif 000009
【図３ｂ】
2016507329.tif 000010
【図３ｃ】
2016507329.tif 000011
【図４】
2016507329.tif 000012
【図５ａ】
2016507329.tif 000013
【図５ｂ】
2016507329.tif 000014
【図６】
2016507329.tif 000015
【図７ａ】
2016507329.tif 000016
【図７ｂ】
2016507329.tif 000017
【図８ａ】
2016507329.tif 000018
【図８ｂ】
2016507329.tif 000019
【図９ａ】
2016507329.tif 000020
【図９ｂ】
2016507329.tif 000021
【図１０ａ】
2016507329.tif 000022
【図１０ｂ】
2016507329.tif 000023
【図１１ａ】
2016507329.tif 000024
【図１１ｂ】
2016507329.tif 000025
【図１２】
2016507329.tif 000026
【図１３ａ】
2016507329.tif 000027
【図１３ｂ】
2016507329.tif 000028
【国際調査報告】
2016507329.tif 000029
2016507329.tif 000030